(57)【特許請求の範囲】
【請求項１】
外周部に係止溝が形成された内筒部材と、この内筒部材の係止溝を含む部位に形成された内筒部材を内側に撓ませることができる切り溝と、前記内筒部材の係止溝を含む上部を覆い係止溝と対応する部位に係止片が形成され内筒部材に回動可能に係止された外筒部材と、この内筒部材と外筒部材を回動させることによって外筒部材の内部に収納された棒状化粧品を外筒部材の上端部より出没させることのできる上下移動機構と、前記内筒部材の下部を嵌合固定することのできるハカマ部材と、このハカマ部材内に立設され内筒部材がハカマ部材内に嵌合固定された状態では内筒部材の下部内面と当接し内筒部材が内側へ撓むことを阻止する撓み阻止筒が形成された事を特徴とする口紅などの収納容器。
【請求項２】
上下移動機構は内筒部材の上部に形成された軸心方向の切欠と、この切欠と対応する部位の外筒部材の内面に形成されたラセン溝と、棒状化粧品を収納する皿部材と、この皿部材に形成され前記内筒部材の切欠および外筒部材のラセン溝と係合する係合ピンとから構成されていることを特徴とする請求項１記載の口紅などの収納容器。
【請求項３】
上下移動機構は内筒部材の上部に形成された螺合穴と、外筒部材の内面に形成された縦溝と、棒状化粧品を収納する皿部材と、この皿部材に形成され外筒部材の縦溝と係合する係合ピンと、皿部材の下部に垂下され内筒部材の螺合穴と螺合するネジ棒とから構成されていることを特徴とする請求項１記載の口紅などの収納容器。
【発明の詳細な説明】
【０００１】
【産業上の利用分野】
本発明は口紅、スティックファンデーションなどの棒状化粧品を収納する口紅などの収納容器に関するものである。
【０００２】
【従来の技術】
従来の口紅などの収納容器は外周部に係止溝が形成された内筒部材と、前記内筒部材の係止溝を含む上部を覆い係止溝と対応する部位に係止片が形成され内筒部材に回動可能ではあるが抜け出し不能に係止された外筒部材と、この内筒部材と外筒部材を回動させることによって外筒部材の内部に収納された棒状化粧品を外筒部材の上端部より出没させることのできる上下移動機構と、前記内筒部材の下部を嵌合固定するハカマ部材とから構成されていた。
【０００３】
さらにその材質としては金属材と樹脂材の組み合わせが使用され、外筒部材やハカマ部材といった収納容器の外観を構成する部材にはアルミや真鍮といった金属材をメッキなどで加飾した部材が使用されて収納容器の高級感を作り出し、内部の構造を形成する内筒部材や棒状化粧品を保持する皿部材には樹脂材が使用されスムーズな動きを作り出している。
【０００４】
【本発明が解決しようとする課題】
従来の口紅などの収納容器では上記のような異材質の組み合わせによって構成されているが、口部などの収納容器は非常に分解しにくい構成となっており、そのため収納容器を廃棄する際にはリサイクル可能な材質であっても容器を分解して分別することが困難で、使用後は不燃ゴミとして廃棄せざるを得ないという欠点があった。
【０００５】
また、分別廃棄するために各部材の係止を弱くしておいて無理に引っ張れば外れるように構成した場合には、誤動作によって容器が分解してしまい、高価な化粧品が使用できなくなるというような事故が発生するという欠点があった。
【０００６】
本発明は以上のような従来の欠点に鑑み、通常の使用においては分解することが無く、化粧品を使い切った後ゴミとして分別をする際には消費者が安全かつ、いたって容易に異材質を分離でき、リサイクルを可能にする口紅などの収納容器を提供することを目的としている。
【０００７】
【課題を解決するための手段】
上記課題を解決するため、本発明は外周部に係止溝が形成された内筒部材と、この内筒部材の係止溝を含む部位に形成された内筒部材を内側に撓ませることができる切り溝と、前記内筒部材の係止溝を含む上部を覆い係止溝と対応する部位に係止片が形成され内筒部材に回動可能に係止された外筒部材と、この内筒部材と外筒部材を回動させることによって外筒部材の内部に収納された棒状化粧品を外筒部材の上端部より出没させることのできる上下移動機構と、前記内筒部材の下部を嵌合固定することのできるハカマ部材と、このハカマ部材内に立設され内筒部材がハカマ部材内に嵌合固定された状態では内筒部材の下部内面と当接し内筒部材が内側へ撓むことを阻止する撓み阻止筒を形成するという手段を用いている。
【０００８】
【作用】
内筒部材の切り溝は外筒部材を内筒部材から引っ張った場合には内筒部材の係止溝が内部に撓んで外筒部材を引き抜けるように作用しているが、内筒部材がハカマ部材に嵌合固定されている場合には、ハカマ部材の撓み阻止筒によって内筒部材が撓むことが阻止され外筒部材が外れることがない。
【０００９】
したがって分別廃棄する場合には、まず外筒部材とハカマ部材を引っ張って、外筒部材、内筒部材、上下移動機構と、ハカマ部材とを分離するが、仮に誤動作によって収納容器がこの状態に分離されても外筒部材とハカマ部材を再度セットすることが可能であり、この状態では収納された化粧品を傷つけてしまったり使用できなくなるといったことがない。
【００１０】
次にハカマ部材から外された内筒部材と外筒部材を引っ張って各部材に分離をする事ができる。
【００１１】
【発明の実施例】
以下、図面に示す実施例により本発明を詳細に説明する。
図１ないし図６に示す発明の第１の実施例において、１は筒状に形成された内筒部材で、この内筒部材１は上端および下端がそれぞれ開孔され、外周には係止溝２が全周にわたるように形成されている。
【００１２】
３は外筒部材で、この外筒部材３は上端が開孔され前記内筒部材１の上部を回動可能に覆い、さらにこの外筒部材３の下部内面の前記内筒部材１に形成された係止溝２と対応する部位にはロール巻き締め加工あるいはポンチ加工などによって形成された係止片４が形成され、この係止溝２と係止片４の係合によって、通常の使用時においては内筒部材１と外筒部材３は抜け出し不能とされている。
【００１３】
５は前記外筒部材３および内筒部材１内に上下移動可能に形成された皿部材で、この皿部材５は棒状化粧品６を保持している。
【００１４】
７は上下移動機構で、この上下移動機構７は内筒部材１の上部に形成された軸心方向の切欠８と、この切欠８と対応する部位の外筒部材３の内面に形成されたラセン溝９と、棒状化粧品６を収納する皿部材５と、この皿部材５に形成され前記内筒部材１の切欠８および外筒部材３のラセン溝９と係合する係合ピン１０とから構成されていて、外筒部材３と内筒部材１を回動させることによって外筒部材３内に収納された棒状化粧品６を外筒部材３の上端開口部より出没させて棒状化粧品６を使用することができるようにするものである。
【００１５】
１１は前記内筒部材１の係止溝２を含む部位に軸心方向に形成され内筒部材１を内側に撓ませることができる切り溝で、この切り溝１１は１本ないし２本が形成され（図示したものは２本）、内筒部材１の係止溝２の部分を撓ませて、外筒部材３の係止片４を係止溝２より抜脱できるようにしている。
【００１６】
１２はハカマ部材で、このハカマ部材１２はハカマ部材本体１３とこのハカマ部材本体１３内に固定された蓋嵌合部材１４より構成されている。
【００１７】
この蓋嵌合部材１４は上部に蓋１５と着脱自在に嵌合する蓋嵌合部１６が形成され、底部は内筒部材１の下部外周をその内面に嵌合すると共に、内筒部材１の係止溝２が内側へ撓むことを防止する撓み防止筒１７が立設され内筒部材１の下部内面と当接している。
【００１８】
１５は前記蓋嵌合部材１４の蓋嵌合部１６と着脱自在に嵌合する蓋である。
【００１９】
このように構成された口紅などの収納容器１８は、その材質としては外筒部材３にはアルミなどの金属材が使用され、内筒部材１および皿部材５には樹脂材が使用される。
【００２０】
又、組み立て方法としては、内筒部材１に皿部材５を挿入し、それに外筒部材３を装着した後外筒部材３の下部の内筒部材１の係止溝２と対応する部位の外部よりロール巻き締め加工あるいはポンチ加工によって外筒部材３内に係止片４を形成するものである。
【００２１】
あるいはあらかじめ外筒部材３内に係止片４を形成しておいて、それを皿部材５が挿入された内筒部材１に圧入等の手段により係止してもよい。
【００２２】
その後、蓋嵌合部材１４とハカマ部材本体１３を圧入等の手段により係止したハカマ部材１２内へ内筒部材１を嵌合固定させて口紅などの収納容器１８が完成する。
【００２３】
次に収納容器を分解するには、図５に示すようにまず外筒部材３とハカマ部材１２を持って内筒部材１、皿部材５、外筒部材３をハカマ部材１２より引っ張り抜き、次に図６に示すように外筒部材３と内筒部材４を引っ張るが、このときには内筒部材１の下部内には撓み防止筒１７がないので、内筒部材１の係止溝２が撓んで外筒部材３を引き抜くことができる。
【００２４】
【発明の異なる実施例】
次に本発明の異なる実施例につき説明する。なお、これらの説明にあたって前記発明の第１の実施例と同一構成部分には同一符号を付して重複する説明を省略する。
【００２５】
図７および図８に示す発明の第２の実施例において、前記発明の第１の実施例と主に異なる点は、外筒部材３Ａをアルミなどの金属材で形成された外筒部材本体１９と、この外筒部材本体１９の内部に装着され内部にラセン溝９が形成されたラセン部材２０によって構成した点と、ハカマ部材１２Ａをハカマ部材本体１３と、蓋嵌合部材１４Ａと、蓋嵌合部材１４Ａとは別部材として形成しハカマ部材本体１３内に固定された撓み防止筒１７が形成され内筒部材１の下部内面を撓み防止筒１７の外周によって嵌合固定する撓み防止部材２１より形成した点で、このような外筒部材３Ａを使用した、あるいはこのようなハカマ部材１２Ａを使用した部材によって構成された口紅など収納容器１８Ａとしてもよい。
【００２６】
図９および図１０に示す発明の第３の実施例において、前記発明の第１の実施例と主に異なる点はハカマ部材１２Ｂで、このハカマ部材１２Ｂは前記発明の第１の実施例の蓋嵌合部材１４、撓み防止筒１７およびハカマ部材本体１３を一部品で形成した点で、このような部材によって構成された口紅など収納容器１８Ｂとしてもよい。
【００２７】
図１１ないし図１６に示す発明の第４の実施例において、前記発明の第１の実施例と主に異なる点は上下移動機構７Ｃで、この上下移動機構７Ｃは内筒部材１Ｃの上部に形成された螺合穴２２と、外筒部材３Ｃの内面に軸心方向に形成され上端までは達しない縦溝２３と、棒状化粧品６を収納する皿部材５Ｃと、この皿部材５Ｃに形成され前記外筒部材３Ｃの縦溝２３と係合する係合ピン１０Ｃと、皿部材５Ｃの下部に垂下され内筒部材１Ｃの螺合穴２２と螺合するネジ棒２４とから構成されている点で、このような部材によって構成された口紅など収納容器１８Ｃとしてもよく、このように本発明では内筒部材１Ｃと外筒部材３Ｃを回動させることによって外筒部材３Ｃの内部に収納された棒状化粧品６を外筒部材３Ｃの上端部より出没させることのできる上下移動機構であれば何でもよい。
【００２８】
以上の説明で本発明は口紅などの収納容器について行ったが、本発明はこれに限らずスティックファンデーション、アイシャドウスティックなどの収納容器であってもよい。
【００２９】
【発明の効果】
本発明は以上説明したように構成されているので、以下に記載されるような効果を奏する。
【００３０】
（１）異材質の組み合わせによって構成されている口紅などの収納容器であっても、収納容器を廃棄する際にはリサイクル可能な材質ごとに容器を分解して分別することが可能であり、ゴミの再資源化につながる。
【００３１】
（２）各部材の係止を弱くしておく必要が無く、誤動作によって容器が分解してしまい、高価な化粧品が使用できなくような事故が発生するという事がなく、さらに化粧品を使い切った後ゴミとして分別をする際には消費者が安全かつ、いたって容易に異材質に分離することができる。
【図面の簡単な説明】
【図１】発明の第１の実施例の断面図である。
【図２】発明の第１の実施例の各部材の説明図である。
【図３】発明の第１の実施例の内筒部材の斜視図である。
【図４】発明の第１の実施例のハカマ部材の斜視図である。
【図５】発明の第１の実施例の内筒部材、外筒部材をハカマ部材より抜き出すときの説明図である。
【図６】発明の第１の実施例の内筒部材と外筒部材を分離するときの説明図である。
【図７】発明の第２の実施例の断面図である。
【図８】発明の第２の実施例のハカマ部材の斜視図である。
【図９】発明の第３の実施例の断面図である。
【図１０】発明の第３の実施例のハカマ部材の斜視図である。
【図１１】発明の第４の実施例の断面図である。
【図１２】発明の第４の実施例の各部材の説明図である。
【図１３】発明の第４の実施例の内筒部材の斜視図である。
【図１４】発明の第４の実施例のハカマ部材の斜視図である。
【図１５】発明の第４の実施例の内筒部材、外筒部材をハカマ部材より抜き出すときの説明図である。
【図１６】発明の第４の実施例の内筒部材と外筒部材を分離するときの説明図である。
【符号の説明】
１、１Ｃ  内筒部材
２  係止溝
３、３Ａ、３Ｃ  外筒部材
４  係止片
５、５Ｃ  皿部材
６  棒状化粧品
７、７Ｃ  上下移動機構
８  切欠
９  ラセン溝
１０、１０Ｃ  係合ピン
１１  切り溝
１２、１２Ａ、１２Ｂ  ハカマ部材
１３  ハカマ部材本体
１４、１４Ａ  蓋嵌合部材
１５  蓋
１６  蓋嵌合部
１７  撓み阻止筒
１８、１８Ａ、１８Ｂ、１８Ｃ  口紅などの収納容器
１９  外筒部材本体
２０  ラセン部材
２１  撓み防止部材
２２  螺合穴
２３  縦溝
２４  ネジ棒
【図１】
0004045385.tif 000002
【図２】
0004045385.tif 000003
【図３】
0004045385.tif 000004
【図４】
0004045385.tif 000005
【図５】
0004045385.tif 000006
【図６】
0004045385.tif 000007
【図７】
0004045385.tif 000008
【図８】
0004045385.tif 000009
【図９】
0004045385.tif 000010
【図１０】
0004045385.tif 000011
【図１１】
0004045385.tif 000012
【図１２】
0004045385.tif 000013
【図１３】
0004045385.tif 000014
【図１４】
0004045385.tif 000015
【図１５】
0004045385.tif 000016
【図１６】
0004045385.tif 000017